【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
線形予測符号化方式に基づく第１の符号化手段と、線形予測符号化方式と異なる符号化方式に基づく第２の符号化手段と、を用いて、複数のフレームから成る音信号を符号化する音信号符号化方法であって、
前記音信号の第１のフレームが前記第２の符号化手段によって符号化された後に、該第１のフレームの直後にある第２のフレームを符号化する符号化手段を前記第２の符号化手段から前記第１の符号化手段に切り替える切替ステップと、
前記切替ステップの後に、前記第１の符号化手段の内部状態を所定の方法によって初期化する初期化ステップと、
を備え、
前記初期化ステップでは、前記第１のフレームを用いて前記第１の符号化手段の内部状態を初期化する、ことを特徴とする音信号符号化方法。
【請求項２】
前記第１の符号化手段の前記内部状態は、適応符号帳の内容又は線形予測合成フィルタの遅延要素の保持する値である、ことを特徴とする請求項１に記載の音信号符号化方法。
【請求項３】
前記初期化ステップでは、前記第２の符号化手段による符号化後に復号して得られる前記第１のフレームを用いて前記第１の符号化手段の内部状態を初期化する、ことを特徴とする請求項１又は２に記載の音信号符号化方法。
【請求項４】
線形予測符号化方式に基づく第１の復号手段と、線形予測符号化方式と異なる符号化方式に基づく第２の復号手段と、を用いて、複数のフレームから成る符号化音信号を復号する音信号復号方法であって、
前記符号化音信号の第１のフレームが前記第２の復号手段によって復号された後に、該第１のフレームの直後にある第２のフレームを復号する復号手段を前記第２の復号手段から前記第１の復号手段に切り替える切替ステップと、
前記切替ステップの後に、前記第１の復号手段の内部状態を所定の方法によって初期化する初期化ステップと、
を備え、
前記初期化ステップでは、前記第１のフレームを用いて前記第１の復号手段の内部状態を初期化する、ことを特徴とする音信号復号方法。
【請求項５】
前記第１の復号手段の前記内部状態は、適応符号帳の内容又は線形予測合成フィルタの遅延要素の保持する値である、ことを特徴とする請求項４に記載の音信号復号方法。
【請求項６】
前記初期化ステップでは、前記第２の復号手段による復号後の前記第１のフレームを用いて前記第１の復号手段の内部状態を初期化する、ことを特徴とする請求項４又は５に記載の音信号復号方法。
【請求項７】
線形予測符号化方式に基づく第１の符号化手段と、前記線形予測符号化方式と異なる他の符号化方式に基づく第２の符号化手段とを備え、前記第１の符号化手段及び前記第２の符号化手段を用いて音信号を符号化する符号化装置であって、
前記音信号に含まれており符号化の対象となる対象フレームを、前記第１の符号化手段又は前記第２の符号化手段の何れで符号化するかを判定する第１の判定手段と、
前記対象フレームを前記第１の符号化手段によって符号化すると前記第１の判定手段によって判定された場合に、前記対象フレームの直前にある直前フレームが前記第１の符号化手段によって符号化されているか、又は、前記第２の符号化手段によって符号化されているか、を判定する第２の判定手段と、
前記直前フレームが前記第２の符号化手段によって符号化されていると前記第２の判定手段によって判定された場合に、前記直前フレームの符号化結果を復号し、この復号結果を用いて前記第１の符号化手段の内部状態を算出する内部状態計算手段と、
前記内部状態計算手段によって算出された前記内部状態を用いて前記第１の符号化手段の内部状態を初期化する初期化手段と、
を備え、
前記第１の符号化手段は、前記初期化手段による前記内部状態の初期化後に前記対象フレームを符号化する、ことを特徴とする符号化装置。
【請求項８】
線形予測符号化方式に基づく第１の復号手段と、前記線形予測符号化方式と異なる他の符号化方式に基づく第２の復号手段とを備え、前記第１の復号手段及び前記第２の復号手段を用いて符号化音信号を復号する復号装置であって、
前記符号化音信号に含まれており復号の対象となる対象フレームを、前記第１の復号手段又は前記第２の復号手段の何れで復号するかを判定する第１の判定手段と、
前記対象フレームを前記第１の復号手段によって復号すると前記第１の判定手段によって判定された場合に、前記対象フレームの直前にある直前フレームが前記第１の復号手段によって復号されたか、又は、前記第２の復号手段によって復号されたか、を判定する第２の判定手段と、
前記直前フレームが前記第２の復号手段によって復号されたと前記第２の判定手段によって判定された場合に、前記直前フレームの復号結果を用いて前記第１の復号手段の内部状態を算出する内部状態計算手段と、
前記内部状態計算手段によって算出された前記内部状態を用いて前記第１の復号手段の内部状態を初期化する初期化手段と、
を備え、
前記第１の復号手段は、前記初期化手段による前記内部状態の初期化後に前記対象フレームを復号する、ことを特徴とする復号装置。
【請求項９】
請求項７に記載の符号化装置と、請求項８に記載の復号装置とを備え、
前記復号装置は、前記符号化装置によって符号化された符号化音信号を復号する、ことを特徴とする音信号処理システム。
【請求項１０】
線形予測符号化方式に基づく第１の符号化手段と、前記線形予測符号化方式と異なる他の符号化方式に基づく第２の符号化手段とを用いて音信号を符号化するために、コンピュータ装置を、
前記音信号に含まれており符号化の対象となる対象フレームを前記第１の符号化手段又は前記第２の符号化手段の何れで符号化するかを判定する第１の判定手段、
前記対象フレームを前記第１の符号化手段によって符号化すると前記第１の判定手段によって判定された場合に、前記対象フレームの直前にある直前フレームが前記第１の符号化手段によって符号化されているか、又は、前記第２の符号化手段によって符号化されているか、を判定する第２の判定手段、
前記直前フレームが前記第２の符号化手段によって符号化されていると前記第２の判定手段によって判定された場合に、前記直前フレームの符号化結果を復号し、この復号結果を用いて前記第１の符号化手段の内部状態を算出する内部状態計算手段、
前記内部状態計算手段によって算出された前記内部状態を用いて前記第１の符号化手段の内部状態を初期化する初期化手段、及び、
前記初期化手段によって前記内部状態の初期化が行われた後に前記第１の符号化手段が前記対象フレームを符号化する符号化手段、
として機能させることを特徴とする音信号符号化プログラム。
【請求項１１】
線形予測符号化方式に基づく第１の復号手段と、前記線形予測符号化方式と異なる他の符号化方式に基づく第２の復号手段とを用いて符号化音信号を復号するために、コンピュータ装置を、
前記符号化音信号に含まれており復号の対象となる対象フレームを、前記第１の復号手段又は前記第２の復号手段の何れで復号するかを判定する第１の判定手段、
前記対象フレームを前記第１の復号手段によって復号すると前記第１の判定手段によって判定された場合に、前記対象フレームの直前にある直前フレームが前記第１の復号手段によって復号されたか、又は、前記第２の復号手段によって復号されたか、を判定する第２の判定手段、
前記直前フレームが前記第２の復号手段によって復号されたと前記第２の判定手段によって判定された場合に、前記直前フレームの復号結果を用いて前記第１の復号手段の内部状態を算出する内部状態計算手段、
前記内部状態計算手段によって算出された前記内部状態を用いて前記第１の復号手段の内部状態を初期化する初期化手段、及び、
前記初期化手段によって前記内部状態の初期化が行われた後に前記第１の復号手段が前記対象フレームを復号する復号手段、
として機能させることを特徴とする音信号復号プログラム。
【手続補正２】
【補正対象書類名】明細書
【補正対象項目名】００１９
【補正方法】変更
【補正の内容】
【００１９】
本発明の音信号処理システムは、前記符号化装置と、前記復号装置とを備え、前記復号装置は、前記符号化装置によって符号化された符号化音信号を復号する、ことを特徴とする。